(57)【要約】【課題】  先端に釣り糸を係止可能な釣り糸係止部を形成するラインキャッチャを、着脱自在に備えている。【解決手段】  釣り糸係止部３Ｃを、複数個の伸縮自在な筒状体３Ａ、３Ｂを連結して構成した伸縮機構Ｂを介して基端部３Ｄに取り付けてラインキャッチャ３を構成するとともに、基端部３Ｄの圧接部３ｆを元竿２の竿尻端の内周面２Ａに内嵌合することによって、ラインキャッチャ３を元竿２に対して着脱自在に取り付けてある。【選択図】        図１
2008017710.tif 000002
【特許請求の範囲】
【請求項１】
先端に釣り糸を係止可能な釣り糸係止部を形成するラインキャッチャを、着脱自在に備えている釣り竿。
【請求項２】
先端に釣り糸を係止可能な釣り糸係止部を形成するとともに基端部から前記釣り糸係止部までの長さを変更すべく伸縮機構を有しているラインキャッチャを、着脱自在に備えている釣り竿。
【請求項３】
前記伸縮機構を段階的に伸縮する複数個の筒状体で構成するとともに、前記複数個の筒状体における最小径の筒状体に前記釣り糸係止部を装備してある請求項１又は２記載の釣り竿。
【請求項４】
前記ラインキャッチャを元竿に対して着脱自在に装着してある請求項１〜３のうちのいずれかひとつに記載の釣り竿。
【請求項５】
前記ラインキャッチャと尻栓とを元竿の竿尻端に対して付け換え選択可能に構成してある請求項４記載の釣り竿。
【発明の詳細な説明】
【技術分野】
【０００１】
本発明は、アオリイカを釣上げる際に使用されるヤエンを使用した釣りに適用可能な釣り竿に関する。
【背景技術】
【０００２】
アオリイカを釣上げる為にヤエンを利用する方法がある。この種の釣りにおいては、まず、釣り糸（道糸）の先端にアジ等の生き餌を取り付け、アジにアオリイカが取り付くと、その取り付く当りを捉えてヤエンを釣り糸に係止させ、その釣り糸を伝って海面下のアオリイカのいる位置までヤエンを誘導する。
アオリイカの当りがあった場合に、ヤエンを釣り糸に係止するために、釣り糸を手元に引き寄せる必要があるが、その場合に生き餌に取り付いているイカが気配を察知して逃げないように、慎重に釣り糸を手繰り寄せる必要がある（特許文献１参照）。
【０００３】
【特許文献１】実開平０７−１７５９号公報（段落番号〔００１１〕）
【発明の開示】
【発明が解決しようとする課題】
【０００４】
上記した場合に、磯より離れたところに釣り糸が位置している場合に、手繰り寄せることに難儀をすることがあり、釣り人が手で手繰り寄せることに限界があった。
根掛かり外しや糸通し具など長尺物で先端に糸係止部を形成した道具を利用する方法もあるが、それらはアオリイカが取り付いた場合に釣り糸を手繰り寄せる為の専用のものではなく、釣り場を携行する場合に邪魔になるものであった。
【０００５】
本発明の目的は、イカの逃げを抑制しながら、釣り糸を手繰り寄せことのできる手段を、釣り場を携行する際に邪魔になりにくいものを提供する点にある。
【課題を解決するための手段】
【０００６】
〔構成〕
請求項１に係る発明の特徴構成は、先端に釣り糸を係止可能な釣り糸係止部を形成するラインキャッチャを、着脱自在に備えている点にあり、その作用効果は次の通りである。
【０００７】
〔作用〕
釣り糸係止部を有する専用のラインキャッチャを備えることによって、釣り糸を手繰り寄せる際に、先端側に位置する釣り糸係止部で釣り糸を手前側に手繰り寄せることができ、釣り人が手で手繰り寄せる必要はない。
しかも、ラインキャッチャを釣り竿に装備しているので、イカが生き餌に取り付いた場合に直ぐにそのラインキャッチャを取り外して使用することができ、生き餌に取り付いたイカに察知されずに釣り糸を手繰り寄せることができる。
また、ラインキャッチャが釣り竿に装備したものであるので、釣り場を移動する際に、携行する邪魔にならず、便利である。
【０００８】
〔効果〕
釣り糸を手繰り寄せるのに、イカに察知されずに迅速に手繰り寄せることのできるもので、携行するのにも邪魔になりにくいラインキャッチャを装備した釣り竿を提供できるに至った。
【０００９】
請求項２に係る発明の特徴構成は、先端に釣り糸を係止可能な釣り糸係止部を形成するとともに基端部から前記釣り糸係止部までの長さを変更すべく伸縮機構を有しているラインキャッチャを、着脱自在に構成して備えている点にあり、その作用効果は次の通りである。
【００１０】
〔作用効果〕
つまり、ラインキャッチャが伸縮機構を備えているので、釣り人から離れた位置に釣り糸があっても、その伸縮機構を伸ばして釣り糸係止部を釣り糸の位置まで移動させることができるので、釣り人から釣り糸までの間隔に影響されにくい。
【００１１】
請求項３に係る発明の特徴構成は、請求項１又は２に係る発明において、前記伸縮機構を段階的に伸縮する複数個の筒状体で構成するとともに、前記複数個の筒状体における最小径の筒状体に前記釣り糸係止部を装備してある点にあり、その作用効果は次の通りである。
【００１２】
〔作用効果〕
筒状体で伸縮機構を構成してあるので、リンク機構等を駆使して伸縮機構を構成する場合に比べて構成が簡素化できるとともに、軽量化も達成できる。
【００１３】
請求項４に係る発明の特徴構成は、請求項１〜３の内のいずれか一つに係る発明において、前記ラインキャッチャを元竿に対して着脱自在に装着してある点にあり、その作用効果は次の通りである。
【００１４】
〔作用効果〕
元竿を握って釣り操作を行っている釣り人の手の近くにラインキャッチャを装備してあるので、イカの当りがあった場合に、ラインキャッチャを直ぐに取り出すことができ、糸の手繰り寄せに迅速に対応できる。
【００１５】
請求項５に係る発明の特徴構成は、請求項４に係る発明において、前記ラインキャッチャと尻栓とを元竿の竿尻端に対して付け換え選択可能に構成してある点にあり、その作用効果は次の通りである。
【００１６】
〔作用効果〕
ラインキャッチャを使用しない場合の釣りにおいては、ラインキャッチャを尻栓に付け替えることによって、釣り竿を軽量化した状態で扱い易くなる。
【発明を実施するための最良の形態】
【００１７】
〔第１実施形態〕
磯竿等に使用される釣り竿Ａについて説明する。図１に示すように、板状リールシート１を取付糸ａで固定した元竿２の竿尻端に着脱自在にラインキャッチャ３を取り付け、釣り竿Ａを構成してある。
【００１８】
ラインキャッチャ３について説明する。図１及び図２に示すように、ラインキャッチャ３は、小径筒状体３Ａから大径筒状体３Ｂまでの複数個の筒状体を互いに伸縮自在にかつ伸長状態で抜け止め固定自在に連結して構成され、小径筒状体３Ａの先端に釣り糸係止部３Ｃを取付け、大径筒状体３Ｂの後端に基端部３Ｄを取り付けて、構成されている。
【００１９】
釣り糸係止部３Ｃを支持する小径筒状体３Ａを含む複数の筒状体からなる伸縮機構Ｂの構成について説明する。図１に示すように、釣り糸係止部３Ｃを構成する棒状の本体部３ａと小径筒状体３Ａとの連結構成は、棒状の本体部３ａを小径筒状体３Ａ内に収納した状態から、棒状の本体部３ａを小径筒状体３Ａから引き出すと、棒状の本体部３ａにおける後端外周面が小径筒状体３Ａの先端内周面に圧接され、引き出し状態が固定されることによって行われている。棒状の本体部３ａを小径筒状体３Ａ内に収納した状態では、特に固定する手段は設けられてはいない。
【００２０】
中間筒状体同士の連結構造は次ぎのようになっている。中間筒状体のうち小径側の中間筒状体を大径側の中間筒状体３Ｆ内に収納した状態で、小径側の中間筒状体を大径側の中間筒状体３Ｆから引き出すと、小径側の中間筒状体における後端外周面が大径側の中間筒状体３Ｆの先端内周面に圧接され、引き出し状態が固定される。小径側の中間筒状体を大径側の中間筒状体３Ｆ内に収納した状態では、特に固定する手段は設けられてはいない。
【００２１】
大径筒状体３Ｂと基端部３Ｄとの連結構造について説明する。基端部３Ｄを筒状に形成するとともに、基端部３Ｄ内に大径筒状体３Ｂを収納した状態で引き出すと、大径筒状体３Ｂの後端外周面が基端部３Ｄの先端内周面に圧接され、引き出し状態が固定される。
以上、伸縮機構Ｂにおける各筒状体の引き出し状態の固定構造は、振出竿の引き出し固定構造と同じ構造である。
【００２２】
以上のような構成により、図２に示すように、釣り糸係止部３Ｃ、小径筒状体３Ａ等を大径側の部材に対して収納する状態から引き出すことによって、ラインキャッチャ３を伸長状態に設定できる。図１に示すように、釣り糸係止部３Ｃ、小径筒状体３Ａ等を大径側の部材に対して収納する状態に切り換えることによって、ラインキャッチャ３を収縮状態に切り換えることができる。
釣り糸係止部３Ｃ、小径筒状体３Ａ、大径側の中間筒状体３Ｆ、大径筒状体３Ｂ、基端部３Ｄの伸縮構造によって、ラインキャッチャ３の伸縮機構Ｂを構成する。
【００２３】
基端部３Ｄの構造について説明する。図１に示すように、基端部３Ｄは、先端側の小径保持部３ｅと中間に位置する圧接部３ｆと後端側の大径握り部３ｇとで構成してある。
【００２４】
図１（イ）に示すように、基端部３Ｄにおける圧接部３ｆは、基端部３Ｄが元竿２の竿尻端の開口に装着された際に、元竿２の竿尻端の内周面２Ａに圧接されて基端部３Ｄが装着固定される。基端部３Ｄが装着固定されると、基端部３Ｄに取り付けられている各筒状体３Ａ、３Ｂ及び釣り糸係止部３Ｃも装着固定することとなり、ラインキャッチャ３全体が元竿２に装着固定されていることとなる。この場合に各筒状体３Ａ、３Ｂと釣り糸係止部３Ｃは元竿２の内部空間内に位置する収納状態に維持されることとなる。
【００２５】
以上のように構成されたラインキャッチャ３を使用する形態は次ぎのようになる。磯等において、釣り糸（道糸）の先端に生き餌としてのアジを取り付け、アオリイカがアジに食い付くのを待つ。アオリイカがアジに取り付いたのを当りで感知すると、ヤエンを投入する為に、釣り糸を手元に手繰り寄せる必要がある。
この場合に、図２に示すように、元竿２内に収納してあるラインキャッチャ３を取り出す。釣り竿Ａを磯に寝かせたり、或いは、竿受けに支持した状態で、ラインキャッチャ３を伸長状態に切換え、釣り糸係止部３Ｃ内に釣り糸を導入する。
【００２６】
釣り糸を釣り糸係止部３Ｃに係止保持した状態で穏かに釣り糸を手元に引き寄せる。この場合に、アジに取り付いたアオリイカが逃げ出さないように、引き寄せをユックリしたスピードで行う。このように釣り糸を引き寄せることによって、深か場にいたアオリイカを生餌のアジとともに海面近くまで浮かせることができる。
【００２７】
釣り糸を十分手前側に引き寄せた状態でヤエン（図示せず）を釣り糸に係止する。釣り糸に係止されたヤエンは、自己が備えた錘の荷重と釣り人の竿を操作によって海面内に沈み込む。
ヤエンには、ヤエンが近づいてくる場合に、生餌から逃げようするアオリイカの習性を利用して逆さ針が取付けてある。この逆さ針にアオリイカが掛かったならば、釣り糸を巻き上げてアオリイカを取り込む。
【００２８】
以上のように、アオリイカが生き餌に取り付いた場合に、ヤエンを投入する際に、アオリイカが逃げないように、釣り糸を手元に引き寄せる道具としてラインキャッチャ３を有効に使用できるのである。
【００２９】
〔第２実施形態〕
第１実施形態では、ラインキャッチャ３を元竿２の竿尻端に取り付けるのに基端部３Ｄの圧接部３ｆを元竿２の竿尻端の内周面２Ａに圧接することによって、ラインキャッチャ３を元竿２に取り付けていた。
第２実施形態では、異なる取付形態について説明する。つまり、図４に示すように、基端部３Ｄの圧接部３ｆを形成した位置に、雄ネジ３ｉを刻設し、元竿２の竿尻端の内周面に雌ネジ２ａを形成して、ラインキャッチャ３をネジ式に着脱可能に構成してもよい。
【００３０】
〔別実施形態〕
（１）  図３に示すように、尻栓として基端部３Ｄとは別個に専用のものを設け、ラインキャッチャ３を使用しない場合には、専用の尻栓４を取り付けてもよい。
（２）  ラインキャッチャ３としては、伸縮機構を保持しない長尺の棒状材で構成し、棒状材の先端に釣り糸係止部３Ｃを形成したものを使用してもよい。
【図面の簡単な説明】
【００３１】
【図１】（イ）元竿の竿尻端にラインキャッチャを嵌合装着した状態を示す側面図、（ロ）ラインキャッチャを取り外した状態を示す一部切欠き側面図、（ハ）ラインキャッチャを伸長させた状態を示す側面図
【図２】ラインキャッチャで釣り糸を手繰り寄せる状態を示す斜視図
【図３】ラインキャッチャの代わりに尻栓を装着した状態を示す縦断側面図
【図４】元竿の竿尻端にラインキャッチャをネジ止め固定するものを示し、（イ）元竿の竿尻端にラインキャッチャを取り付けた状態を示す縦断側面図、（ロ）ラインキャッチャを取り外した状態を示す側面図
【符号の説明】
【００３２】
２            元竿
３            ラインキャッチャ
３Ａ          小径筒状体（最小径の筒状体）
３Ｃ          釣り糸係止部
３Ｄ          基端部
４            尻栓
【図１】
2008017710.tif 000003
【図２】
2008017710.tif 000004
【図３】
2008017710.tif 000005
【図４】
2008017710.tif 000006